(57)【要約】【課題】  噴出ヘッドのロック機構をポンプの取付キャップに取着し、片手による廻動操作によってロック部材の係合、離脱が可能であるとともに、ロック部材が紛失することがないようにした噴出ヘッドのロック機構を提供すること。【解決手段】  取付キャップと噴出ヘッドを具えたポンプと、取付キャップに取着され、噴出ヘッドの最上昇位置からの下降を防止するロック部材を備えた吐出容器であって、取付キャップは、外周面に一対の軸受孔を穿設した噴出ヘッドの案内筒を具備し、ロック部材は、下端に前記軸受孔に枢支された軸杆を具え、縦方向に延びる一対の縦杆と、縦杆の上端を結び、噴出ヘッドを最上昇位置に保持する円弧状の係止杆とからなり、ロック部材を廻動自在に取付キャップに取着していることを特徴とする。【選択図】  図１
2010036069.tif 000002
【特許請求の範囲】
【請求項１】
取付キャップと噴出ヘッドを具えたポンプと、取付キャップに取着され、噴出ヘッドの最上昇位置からの下降を防止するロック部材を備えた吐出容器であって、
取付キャップは、外周面に一対の軸受孔を穿設した噴出ヘッドの案内筒を具備し、
ロック部材は、下端に前記軸受孔に枢支された軸杆を具え、縦方向に延びる一対の縦杆と、縦杆の上端を結び、噴出ヘッドを最上昇位置に保持する円弧状の係止杆とからなり、
ロック部材を廻動自在に取付キャップに取着していることを特徴とする噴出ヘッドのロック機構。
【請求項２】
係止杆の断面形状が、円形であり、
噴出ヘッドの上端に、膨出突条を設けたことを特徴とする請求項１記載の噴出ヘッドのロック機構。
【請求項３】
係止杆の断面形状が、円形であり、
噴出ヘッドの表面に、係止杆に係合し、噴出ヘッドを最上昇位置に保持できる位置に係止溝を刻設したことを特徴とする請求項１記載の噴出ヘッドのロック機構。
【請求項４】
係止杆の断面形状が、内側に切欠部を形成した切欠円であり、
切欠部の下面が、噴出ヘッド上端の係止突条に係止されていることを特徴とする請求項１記載の噴出ヘッドのロック機構。
【請求項５】
円弧状の係止杆が、１８０度を越えて延ばされ、縦杆の連結部と連結されていることを特徴とする請求項１〜４のいずれかに記載の噴出ヘッドのロック機構。
【請求項６】
円弧状の係止杆のノズルの対向側に、上方に湾曲する摘み部が設けられていることを特徴とする請求項１〜５のいずれかに記載された噴出ヘッドのロック機構。
【請求項７】
噴出ヘッドの外周面に、凹部が設けられ、
ロック部材の縦杆の噴出ヘッド側内面に、前記凹部に係合する突起が設けられていることを特徴とする請求項１〜４、または６のいずれかに記載された噴出ヘッドのロック機構。
【発明の詳細な説明】
【技術分野】
【０００１】
本発明は、シャンプー、リンス、化粧品等の液体容器を吐出するのに適したポンプに取着した噴出ヘッドのロック機構に関するものである。
【背景技術】
【０００２】
内容物吐出容器の噴出ヘッドのロック機構として、容器本体に対して上下動自在で、周面に内容物放出用ノズルを有する操作部に、横方向に押し広げられる開口部を有し、かつ、操作部の所定位置に係止するようにしたロック用部材を具えた噴出ヘッドのロック機構は、従来より知られている（例えば、特許文献１参照）。
【特許文献１】実用新案登録第２５９０９０２号公報
【発明の開示】
【発明が解決しようとする課題】
【０００３】
しかしながら、上記特許文献１記載のロック機構では、流通時、携帯時等において液体が不用意に吐出することは防止可能であるが、内容物吐出容器を継続して使用する場合には、ロック用部材を手元に置いておかなければならず、利便性に欠け、しかもロック用部材を紛失する等の問題もあった。
また、ロック用部材の装着にあたっては、一方の手で吐出容器を支持し、他方の手でロック用部材を持って、ポンプの操作部と取付部の間に嵌挿しなければならないので、装着操作が片手ではできず、簡単でないという問題があった。
【０００４】
本発明は、上記問題を解決することを課題とし、噴出ヘッドのロック機構をポンプの取付キャップに取着し、片手による廻動操作によってロック部材の係合、離脱が可能であるとともに、ロック部材が紛失することがないようにした噴出ヘッドのロック機構を提供することを目的とする。
【課題を解決するための手段】
【０００５】
本発明は、上記の問題を解決するため、噴出ヘッドのロック機構として、取付キャップと噴出ヘッドを具えたポンプと、取付キャップに取着され、噴出ヘッドの最上昇位置からの下降を防止するロック部材を備えた吐出容器であって、取付キャップは、外周面に一対の軸受孔を穿設した噴出ヘッドの案内筒を具備し、ロック部材は、下端に前記軸受孔に枢支された軸杆を具え、縦方向に延びる一対の縦杆と、縦杆の上端を結び、噴出ヘッドを最上昇位置に保持する円弧状の係止杆とからなり、ロック部材を廻動自在に取付キャップに取着していることを特徴とする構成を採用する。
【０００６】
係止杆の実施例として、係止杆の断面形状が、円形であり、噴出ヘッドの上端に、膨出突条を設けたことを特徴とする構成、または、係止杆の断面形状が、円形であり、噴出ヘッドの表面に、係止杆に係合し、噴出ヘッドを最上昇位置に保持できる位置に係止溝を刻設したことを特徴とする構成、または、係止杆の断面形状が、内側に切欠部を形成した切欠円であり、切欠部の下面が、噴出ヘッド上端の係止突条に係止されていることを特徴とする構成を採用する。
【０００７】
係止杆の別実施例として、円弧状の係止杆が、１８０度を越えて延ばされ、縦杆の連結部と連結されていることを特徴とする構成、または、円弧状の係止杆のノズルの対向側に、上方に湾曲する摘み部が設けられていることを特徴とする構成を採用する。
【０００８】
係止杆の位置決めを確実にするために、噴出ヘッドの外周面に、凹部が設けられ、ロック部材の縦杆の噴出ヘッド側内面に、前記凹部に係合する突起が設けられていることを特徴とする構成を採用する。
【発明の効果】
【０００９】
ロック部材をキャップ取付筒に廻動自在として取着しているので、所望時に、ロック部材を係合、離脱させることが可能で、ロック部材を紛失する恐れをなくすことができた。
また、ロック部材の操作にあたって、片手操作でロック部材を係合、離脱させることができ、操作が簡単にできるようになった。
【発明を実施するための最良の形態】
【００１０】
次に、本発明の噴出ヘッドのロック機構について、実施例をあげ、図面を参照して説明する。
【実施例１】
【００１１】
図１〜３において、Ａは容器、Ｂはポンプの取付キャップ、Ｃはポンプに取着した噴出ヘッド、Ｄはロック部材である。
【００１２】
取付キャップＢは、上部に噴出ヘッドＣの上下動を案内する案内筒１を立設した螺着筒２によって形成され、案内筒１には、１８０度の角度を隔てて一対の軸受孔３が設けられている。
【００１３】
噴出ヘッドＣは、公知のシリンダーとピストンを有するポンプのステムに取着されており、外周壁４の所定の位置に内容液を吐出する噴出孔５が配設され、上端には、膨出突条６が設けられている。
【００１４】
ロック部材Ｄは、合成樹脂、その他の素材からなり、下端に軸受孔３に枢支される軸杆７を内側面に設けた２本の縦杆８と、その上端を連結部８ａとし、この縦杆８を結び、噴出ヘッドＣの最上昇位置において、噴出ヘッドＣの外周壁４に当接するとともに、膨出突条６に係合する円弧状の係止杆９とから構成されている。
【００１５】
縦杆８は、軸杆７と上端の連結部８ａとの間に案内筒１による段差があるため、傾斜させるようにしているが、案内筒１から内方に段をつけるようにしてもよい。
【００１６】
２本の縦杆８内面の所定の位置には、突起１０が設けられ、噴出ヘッドの外周壁４表面の軸受孔３の直線上の上方に、縦杆８の突起が係止される凹部１１が設けられている。
また、突起と凹部を設ける部材を、逆としてもよい。
【００１７】
次に、本実施例１の噴出ヘッドのロック機構の使用形態と、作用効果について、説明する。
本実施例のポンプは、周知のものと同様に、噴出ヘッドはポンプに装着されたスプリングの弾発力により最上昇位置に押上げられ、噴出ヘッドの押下げ操作によりノズルより内容液を吐出することができるものである。。
【００１８】
図１、３に示すように、噴出ヘッドＣの最上昇位置で、ロック部材Ｄを縦杆８が直立するように廻動させると、係止杆９が噴出ヘッドＣ上端の膨出突条６に係合する。
【００１９】
また、縦杆８内面の突起１０が噴出ヘッドＣの凹部１１に係合するので、ロック部材Ｄの戻りを防止することが確実になる。
【００２０】
噴出ヘッドＣの使用にあっては、図４に示すように、ロック部材Ｄの縦杆８を廻動させると、係止杆９を膨出突条６との係合から外すことができ、噴出ヘッドＣを押下げると、ポンプが作動され、噴出孔５より内容液を噴出することができる。
【００２１】
したがって、本実施例のロック機構は、ポンプの取付キャップＢにロック部材Ｄを廻動自在に取着したので、ロック部材を紛失することもなく、ロック部材の係脱が片手の操作で容易にできるようになった。
【実施例２】
【００２２】
次に、噴出ヘッドとロック部材の係止杆の構成を変更した第２実施例について説明する。
【００２３】
図５．６において、Ｃａは噴出ヘッド、Ｄａはロック部材である。
噴出ヘッドＣａの外周壁１５上部に、半円状の係止溝１６を刻設し、ロック部材Ｄａの係止杆９の半円が、係止溝１６に当接するように係合させたものである。
噴出ヘッドＣａの外周壁１５には、第１実施例の噴出孔５に変え、ノズル１７が突設されており、公知のものと同様に、噴出ヘッドＣａは、ポンプのステムに取着されている。
その他の部分の構成は、第１実施例と同一である。
【００２４】
ロック部材の使用にあたっては、半円状の係止溝１６と、円形の係止杆９とが確実に係合しているので、ロックが強固に行われ、ロック部材Ｄａの係合を外し、噴出ヘッドＣａを押下げると、ノズル１７より内容液を吐出することができる。
その他は、第１実施例と同様の作用効果を得ることができる。
【実施例３】
【００２５】
次に、ロック部材の係止杆の構成を変更した第３実施例について説明する。
【００２６】
図７．８において、Ｃｂは噴出ヘッド、Ｄｂはロック部材である。
ロック部材Ｄｂの係止杆２０は、その断面形状が円の内側に切欠部２１として設けた円弧状断面であり、切欠部２１は、ほぼ円の中心に達する垂直面２１ａと水平面２１ｂとからなっている。
【００２７】
噴出ヘッドＣｂの上端には、外周壁２２から水平に突出した突条２３が設けられており、ロック時には、突条２３の下面は、係止杆２０の水平面２１ｂに係合されるようになっている。
その他の部分の構成は、第１実施例と同一である。
【００２８】
ロック部材の使用にあたっては、ロック部材Ｄｂと噴出ヘッドＣｂとの係合は、双方が水平面として面接触となるので係合状態は確実となる。
その他の作用効果は、第１実施例と同様である。    
【実施例４】
【００２９】
次に、ロック部材の係止杆の構成を変更した第４実施例について説明する。
【００３０】
図９において、Ｃｃは噴出ヘッド、Ｄｃはロック部材である。
ロック部材Ｄｃは、縦杆２５と、円弧状の係止杆２６とからなり、縦杆２５の下端には、第１実施例と同様に軸杆７が設けられ、取付キャップＢの軸受孔３に嵌挿されている。
【００３１】
縦杆２５は、上方に向かって噴出孔５側に傾斜され、係止杆２６との連結部２５ａは、噴出ヘッドＣｃの中心線よりノズル側に位置し、係止杆２６は、１８０度を越えるように延びる円弧となっている。
その他の構成は、第１実施例と同一である。
【００３２】
ロック部材の使用にあたっては、本実施例では、係止杆２６と縦杆２５との連結部２５ａは、噴出ヘッドＣｃの直径より小さくなるので、ロック部材Ｄｃが廻動して戻るのを防止し、ロック部材Ｄｃは、廻動位置に維持される。
したがって、噴出ヘッドＣｃとロック部材Ｄｃの縦杆２５との間に、突起と凹部を設けなくてもよい。
その他は、第１実施例と同一の作用効果を得ることができる。
【００３３】
前記各実施例では、係止杆は、ロック時にはいずれも水平となっているが、係止杆のノズル対向側の端部に、上方に湾曲してロック時に噴出ヘッドより上方に突出する部分を連設すると、ロック部材を引上げるための摘み片を形成することができる。
摘み片は、ロック部材の係合、離脱時に操作するため利用するとともに、店頭での販売、使用後の格納時に、吊り下げ具として利用することもできる。
【００３４】
前記第２実施例では、噴出ヘッドに噴出孔に変えてノズル１７を設けたが、他の実施例においても、噴出孔に変えてノズルを設け、内容液を吐出するようにしてもよい。
【産業上の利用可能性】
【００３５】
本発明は、噴出ヘッドのロック機構を取付キャップに取着し、所望に応じてロック部材を係合、離脱させることが可能であり、またロック部材を紛失する恐れがなくなったので、噴出ヘッドのロック機構として各種内容液の噴出容器、吐出容器に広く利用できる。
【図面の簡単な説明】
【００３６】
【図１】本発明の第１実施例の噴出ヘッドのロック機構の説明図で、（ａ）はロック時の上面図、（ｂ）は立面図である。
【図２】ロック機構のロック解除時の立面図である。
【図３】ロック機構の斜視図である。
【図４】ロック機構のロック解除時の斜視図である。
【図５】第２実施例のロック機構のロック時の立面図である。
【図６】ロック機構のロック解除時の立面図である。
【図７】第３実施例のロック機構のロック時の立面図である。
【図８】ロック機構のロック解除時の立面図である。
【図９】第４実施例のロック機構のロック時の立面図である。
【符号の説明】
【００３７】
Ａ              容器
Ｂ              取付キャップ
Ｃ、Ｃａ、Ｃｂ、Ｃｃ  噴出ヘッド
Ｄ、Ｄａ、Ｄｂ、Ｄｃ  ロック部材
１              案内筒
２              螺着筒  
３              軸受孔
４、１５、２２  外周壁
５              噴出孔
６              膨出突条
７              軸杆
８、２５        縦杆
８ａ、２５ａ    連結部
９、２０、２６  係止杆
１０            突起
１１            凹部
１６            係止溝
１７            ノズル
２１            切欠部
２１ａ          垂直面
２１ｂ          水平面
２３            突条
【図１】
2010036069.tif 000003
【図２】
2010036069.tif 000004
【図３】
2010036069.tif 000005
【図４】
2010036069.tif 000006
【図５】
2010036069.tif 000007
【図６】
2010036069.tif 000008
【図７】
2010036069.tif 000009
【図８】
2010036069.tif 000010
【図９】
2010036069.tif 000011